(57)【要約】【課題】  呼び出しを受けた管理室親機が断線や故障等で動作しなかった場合でも呼出履歴を記録し、管理室親機が正常な状態に復帰した際に、特別な操作をすること無く記録された呼出履歴を確認できる集合住宅インターホンシステムを提供する。【解決手段】  居室親機２から管理室親機３を呼び出した場合に、応答がなかった呼び出しの履歴を記憶する呼出履歴記憶部４１と、呼出履歴記憶部４１の履歴情報を定期的に管理室親機３に送信する特徴情報送信部４２とを制御機４に設け、管理室親機３に制御機４から送信された履歴情報を表示する管理室親機表示部３３と、居室親機２からの呼び出しに対して応答しなかった履歴を記憶する着信履歴記憶部３４と、履歴情報を照合する履歴情報照合部３５とを設けた。特徴情報送信部４２は、呼出履歴のチェックサムデータを管理室親機３に定期的に送信する。【選択図】  図５
2012095054.tif 000002
【特許請求の範囲】
【請求項１】
集合住宅のエントランスに設置されて居住者を呼び出すための集合玄関機と、各住戸に設置されて前記集合玄関機から呼び出しに応答するための居室親機と、管理室に設置されて前記集合玄関機及び前記居室親機からの呼び出しに応答するための管理室親機と、前記集合玄関機及び前記居室親機及び前記管理室親機の間の通信を制御する制御機とを有し、前記制御機と前記管理室親機、前記制御機と前記居室親機、前記制御機と前記集合玄関機は夫々伝送線によって接続された集合住宅インターホンシステムにおいて、
前記制御機に、前記居室親機或いは前記集合玄関機から前記管理室親機が呼び出された場合に、応答がなかった呼出履歴を記憶する呼出履歴記憶部と、前記呼出履歴記憶部の履歴情報を定期的に管理室親機に送信する履歴情報送信部とを設け、
前記管理室親機に、前記制御機から送信された呼出履歴を表示する表示部を設けたことを特徴とする集合住宅インターホンシステム。
【請求項２】
前記管理室親機は、前記居室親機或いは前記集合玄関機から呼び出しに対して応答しなかった場合の履歴を記憶する着信履歴記憶部と、履歴情報を照合する履歴情報照合部とを有し、
前記履歴情報照合部は、受信した前記呼出履歴記憶部の履歴情報と前記着信履歴記憶部に記憶されている着信履歴情報とを照合し、前者にあり後者にない履歴情報がある場合は、その履歴情報を前記着信履歴記憶部に追加記憶させることを特徴とする請求項１記載の集合住宅インターホンシステム。
【請求項３】
前記履歴情報送信部が前記管理室親機に定期的に送信する履歴情報は、データ量を削減した履歴の特徴情報であり、
前記履歴情報照合部は、前記呼出履歴情報と着信履歴情報との照合を前記特徴情報で実施し、前記着信履歴記憶部に記録されていない履歴情報があると判断した場合は、該当する履歴情報の全情報を前記呼出履歴記憶部から入手することを特徴とする請求項２記載の集合住宅インターホンシステム。
【請求項４】
前記管理室親機は、電源の投入操作を受けて前記制御機から呼出履歴情報を入手する起動時履歴入手制御部を有し、
前記履歴情報照合部は、前記起動時履歴入手制御部が入手した呼出履歴情報と前記着信履歴記憶部に記憶されている着信履歴情報とを照合し、
前者にあり後者にない履歴情報がある場合は、その履歴情報を前記着信履歴記憶部に追加記憶させることを特徴とする請求項２又は３記載の集合住宅インターホンシステム。
【発明の詳細な説明】
【技術分野】
【０００１】
本発明は集合住宅インターホンシステムに関し、特に管理室親機に呼び出しがあったにも関わらず応答しなかった場合に、その履歴を記憶する履歴記憶部を備えた集合住宅インターホンシステムに関する。
【背景技術】
【０００２】
居住者が管理人を呼び出す場合、居室親機から管理室親機が呼び出し操作される。このとき、管理室親機から応答がなかったらその着信履歴を記憶する履歴記憶機能を備えた集合住宅インターホンシステムがある。例えば特許文献１では制御機にサーバが接続され、居室親機から管理室親機を呼び出した際に応答がなかったら、制御機がそのサーバに不在着信履歴として記憶させた。そして、管理室親機からこの履歴を参照することで、管理人は応答しなかった呼び出しに対して対応することができた。
【先行技術文献】
【特許文献】
【０００３】
【特許文献１】特開２００７−９６７１６号公報
【発明の概要】
【発明が解決しようとする課題】
【０００４】
しかしながら、上記特許文献１の集合住宅インターホンシステムは、管理室親機から履歴を参照する操作を行わなければ着信履歴を参照することが出来なかったし、インターホンシステムにサーバを接続するため、コスト高であった。また、管理室親機が故障していたり、電源が未投入などの原因により呼び出しできない場合は、対応することが出来なかった。
【０００５】
そこで、本発明はこのような問題点に鑑み、呼び出しを受けた管理室親機が断線や故障等で動作しなかった場合でも別途機器を設けることなく呼出履歴を記録し、管理室親機が正常な状態に復帰した際に、特別な操作をすること無く記録された呼出履歴を確認できる集合住宅インターホンシステムを提供することを目的としている。
【課題を解決するための手段】
【０００６】
上記課題を解決する為に、請求項１の発明は、集合住宅のエントランスに設置されて居住者を呼び出すための集合玄関機と、各住戸に設置されて前記集合玄関機から呼び出しに応答するための居室親機と、管理室に設置されて前記集合玄関機及び前記居室親機からの呼び出しに応答するための管理室親機と、前記集合玄関機及び前記居室親機及び前記管理室親機の間の通信を制御する制御機とを有し、前記制御機と前記管理室親機、前記制御機と前記居室親機、前記制御機と前記集合玄関機は夫々伝送線によって接続された集合住宅インターホンシステムにおいて、
前記制御機に、前記居室親機或いは前記集合玄関機から前記管理室親機が呼び出された場合に、応答がなかった呼出履歴を記憶する呼出履歴記憶部と、前記呼出履歴記憶部の履歴情報を定期的に管理室親機に送信する履歴情報送信部とを設け、
前記管理室親機に、前記制御機から送信された呼出履歴を表示する表示部を設けたことを特徴とする。
この構成によれば、管理室親機を呼び出した際に応答の無かった呼び出しの履歴が制御機に保存され、それが定期的に管理室親機に伝送されるので、管理室親機に着信履歴情報を保存できない場合が発生しても着信履歴を随時補填することができる。よって、管理人は、不在であったり管理室親機の故障等で応答出来なかった呼び出しがあっても、別途機器を設けることなく、また制御機に対して確認操作をすることなく容易にその呼び出しの履歴を認識できる。
また、制御機が応答の無かった管理室への呼び出しの履歴を記憶するため、管理室親機の持つ記憶部は直近の特定の期間の履歴だけでも良く、小さな記憶容量で済む。
【０００７】
請求項２の発明は、請求項１に記載の構成において、管理室親機は、居室親機或いは集合玄関機から呼び出しに対して応答しなかった場合の履歴を記憶する着信履歴記憶部と、履歴情報を照合する履歴情報照合部とを有し、履歴情報照合部は、受信した呼出履歴記憶部の履歴情報と着信履歴記憶部に記憶されている着信履歴情報とを照合し、前者にあり後者にない履歴情報がある場合は、その履歴情報を着信履歴記憶部に追加記憶させることを特徴とする。
この構成によれば、管理室親機が故障や断線等により、居室親機や集合玄関機からの呼び出しに対して着信履歴を記録出来なかったとしても、制御機で記録された呼出履歴情報から未記録の着信の履歴を追加記録する。よって、呼出音が鳴らずに応答出来なかった呼び出しに対しても履歴を確認でき、漏れなく対処することが可能となる。また、管理室親機も自身の着信履歴を記憶するので、スムーズな閲覧ができる。
【０００８】
請求項３の発明は、請求項２に記載の構成において、履歴情報送信部が管理室親機に定期的に送信する履歴情報は、データ量を削減した履歴の特徴情報であり、履歴情報照合部は、呼出履歴情報と着信履歴情報との照合を特徴情報で実施し、着信履歴記憶部に記録されていない履歴情報があると判断した場合は、該当する履歴情報の全情報を呼出履歴記憶部から入手することを特徴とする。
この構成によれば、定期的に制御機から管理室親機へ伝送される履歴情報は特徴情報が送信されるので少ないデータ量で済み、制御機の負担を軽減できるし伝送路の占有時間も短くできる。そして、管理室親機に登録されていない履歴情報に関しては全データが送信されるので、管理室親機において補填された履歴情報は他の履歴情報と同様に良好に参照することができる。
尚、ここで言う「特徴情報」とは、チェックサム等の誤り検出符号をいい、管理室親機は制御機から送信された履歴の誤り検出符号と自身が記憶している履歴の誤り検出符号を比較する。
【０００９】
請求項４の発明は、請求項２又は３に記載の構成において、管理室親機は、電源の投入操作を受けて制御機から呼出履歴情報を入手する起動時履歴入手制御部を有し、履歴情報照合部は、起動時履歴入手制御部が入手した呼出履歴情報と着信履歴記憶部に記憶されている着信履歴情報とを照合し、前者にあり後者にない履歴情報がある場合は、その履歴情報を着信履歴記憶部に追加記憶させることを特徴とする。
この構成によれば、管理室親機が起動したら、制御機から着信履歴情報を取得するので、電源が投入されていなかった時間帯の管理室親機の着信履歴情報を速やかに補填することができる。
【発明の効果】
【００１０】
本発明によれば、管理室親機を呼び出した際に応答の無かった呼び出しの履歴が制御機に保存され、それが定期的に管理室親機に伝送されるので、管理室親機に着信履歴情報を保存できない場合が発生しても、着信履歴を随時補填することができる。よって、管理人は、不在であったり管理室親機の故障等で応答出来なかった呼び出しがあっても、制御機に対して確認操作をすることなく容易にその呼び出しの履歴を認識できる。
また、制御機が応答の無かった管理室への呼び出しの履歴を記憶するため、管理室親機の持つ記憶部は直近の特定の期間の履歴だけでも良く、小さな記憶容量で済む。
【図面の簡単な説明】
【００１１】
【図１】本発明に係る集合住宅インターホンシステムの一例を示す構成図である。
【図２】集合玄関機の要部ブロック図である。
【図３】居室親機の要部ブロック図である。
【図４】管理室親機の要部ブロック図である。
【図５】制御機の要部ブロック図である。
【発明を実施するための形態】
【００１２】
以下、本発明を具体化した実施の形態を、図面に基づいて詳細に説明する。図１は本発に係る集合住宅インターホンシステムの一例を示す構成図であり、１は集合住宅のエントランスに設置されて居住者を呼び出すための集合玄関機、２は各住戸に設置されて集合玄関機１からの呼び出しに応答するための居室親機、３は管理室に設置されて集合玄関機１及び居室親機２からの呼び出しに管理人が応答するための管理室親機、４は集合玄関機１及び居室親機２及び管理室親機３の間の通信を制御する制御機である。
集合玄関機１、居室親機２、管理室親機３は夫々伝送線Ｌ１，Ｌ２，Ｌ３により制御機４に接続されている。
【００１３】
図２は集合玄関機１の回路ブロック図であり要部を示している。図２に示すように、集合玄関機１は、住戸を選択して呼び出すための玄関機操作部１１、操作内容等を表示する玄関機表示部１２、居住者と通話するための図示しないマイク及びスピーカを備えた通話部１３、集合玄関機１を制御する玄関機ＣＰＵ１４、制御機４と通信するための玄関機ＩＦ１５等を備えている。
【００１４】
図３は居室親機２の回路ブロック図であり要部を示している。図３に示すように、居室親機２は、呼び出しに対する応答や管理人を呼び出す等各種操作を行う親機操作部２１、通話するための図示しないマイク及びスピーカを備えた通話部２２、図示しない共用部カメラの撮像映像や各種操作内容を表示する親機表示部２３、居室親機２を制御する親機ＣＰＵ２４、制御機４と通信するための親機ＩＦ２５等を備えている。
【００１５】
図４は管理室親機３の回路ブロック図であり要部を示している。図４に示すように、管理室親機３は、呼び出しに対する応答や居室親機２を呼び出す等各種操作を行う管理室親機操作部３１、通話するための図示しないマイク及びスピーカを備えた通話部３２、図示しない共用部カメラの撮像映像や各種操作内容を表示する管理室親機表示部３３、居室親機２や集合玄関機１から呼び出しを受けた場合に応答しなかった着信履歴を記憶する着信履歴記憶部３４、制御機４から送信された履歴と着信履歴記憶部３４に記憶している履歴とを照合する履歴情報照合部３５、管理室親機３を制御する管理室親機ＣＰＵ３６、制御機４と通信するための管理室居室親機ＩＦ３７等を備えている。
【００１６】
図５は制御機４の回路ブロック図を示している。図５に示すように制御機４は、居室親機２や集合玄関機１から管理室親機３へ呼び出しを行った場合に、応答されなかった呼び出しの履歴を記憶する呼出履歴記憶部４１、呼出履歴記憶部４１に記憶された履歴情報を定期的に管理室親機３に送信する特徴情報送信部４２、制御機４を制御する制御機ＣＰＵ４３、集合玄関機１と通信する制御機第１ＩＦ４４、居室親機２と通信する制御機第２ＩＦ４５、管理室親機３と通信する制御機第３ＩＦ４６等を備えている。
【００１７】
このように構成された集合住宅インターホンシステムは次のように動作する。但し、集合玄関機１から住戸を選択して居住者を呼び出す動作、呼び出しを受けて居住者が居室親機２から応答する動作等は従来の集合住宅インターホンシステムと同様であるため説明を省略し、ここでは居住者が管理人を呼び出した場合の動作を説明する。
居室親機２から管理室親機３の呼び出しは、親機操作部２１の所定の操作により実施でき、呼出操作を受けて親機ＣＰＵ２４が管理室親機３を呼び出す呼出信号を生成して制御機４へ送信する。この呼出信号を受信した制御機４は、制御機ＣＰＵ４３が管理室親機３への呼出信号であることを認識し、管理室親機３へ呼出信号を送信する。呼出信号を受信した管理室親機３では、管理室親機ＣＰＵ３６の制御で通話部３２のスピーカから呼出音が鳴動する。
呼び出しを受けた管理人が管理室親機３の管理室親機操作部３１を応答操作すると、応答信号が制御機４に送信される。応答信号を受信した制御機４では、制御機ＣＰＵ４３が居室親機２と管理室親機３との間の通話路を形成する。こうして、居住者は管理人と通話をすることができる。
【００１８】
しかし、管理人の不在等により呼び出しを受けた管理室親機３が応答操作されずに呼び出しが終了した場合は、制御機ＣＰＵ４３が管理室親機３に終話信号を送ると共に、応答しなかった呼び出しであるため、呼出履歴情報として呼出履歴記憶部４１に保存する。
また、終話信号を受けた管理室親機３は、管理室親機ＣＰＵ３６が着信履歴情報として着信履歴記憶部３４に保存する。この双方に記憶される履歴情報は、具体的に呼出元の住戸情報（居室親機情報）、及び呼び出しが成された日時情報を有している。
【００１９】
着信履歴記憶部３４に記憶された履歴は、管理室親機表示部３３に表示することができる。管理人等の操作者が管理室親機操作部３１を表示操作すると、管理室親機ＣＰＵ３６が着信履歴記憶部３４に保存された着信履歴情報を読み出して管理室親機表示部３３に表示する。こうして表示された住戸情報及び日時情報を確認することで、管理人は不在時等の呼び出しに対して、通話操作等の必要な処置を講ずることができる。
【００２０】
一方で制御機４では、特徴情報送信部４２が呼出履歴記憶部４１に記憶された呼出履歴の特徴情報を生成し、例えば１時間の間隔で定期的に管理室親機３に対して送信している。そして管理室親機３は、送信された特徴情報を履歴情報照合部３５が受信し、着信履歴記憶部３４に記憶されている履歴情報の特徴情報と照合している。
管理室親機３が正常に動作している間は、制御機４から送信される履歴情報と着信履歴記憶部３４が記憶している履歴情報とは同一の情報であるため、双方の特徴情報に相違点はなく、その後受信した履歴情報が管理室親機３において活用されることはない。
【００２１】
次に、この集合住宅インターホンシステムにおいて、管理室親機３が正常に動作しない状態で呼び出しが成された場合を説明する。このような状態は、管理室親機３と制御機４の間で断線が発生した場合、管理人が長時間不在となる等の理由で管理室親機３の電源がオフ操作された場合、管理室親機３が故障して呼出音の鳴動等が行われない場合であり、呼び出しを受けて以下のように動作する。最初に断線或いは故障の場合を説明する。
【００２２】
断線或いは故障の場合、居室親機２から管理室親機３を呼び出しても呼出信号は管理室親機３に送信できない。従って、応答することなく終話することになる。終話操作を受けて、制御機ＣＰＵ４３は呼出履歴記憶部４１に履歴を保存すると共に、管理室親機３に終話信号を送信するが、断線等により終話信号が届かないため、管理室親機３で着信履歴情報は保存されない。
【００２３】
その後、断線等が復旧して管理室親機３が正常な状態になると、制御機４の特徴情報送信部４２から定期的に送信されている呼出履歴特徴情報の受信が再開される。
呼出履歴の特徴情報を受信した管理室親機３は、履歴情報照合部３５がこの情報を読み取り、着信履歴記憶部３４が記憶している着信履歴の特徴情報と照合する。差異があると判断したら、即ち、断線等で呼出信号が受信できない期間に呼び出しを受けた履歴情報がある場合は、その呼出履歴の全情報を制御機４に要求し、制御機４は要求に応じて該当する日時の呼出履歴情報を管理室親機３に送信する。
この情報を受信した管理室親機３は、管理室親機ＣＰＵ３６が、呼出履歴情報を不在時の着信履歴と同様に処理し着信履歴記憶部３４に保存する。また、新たに保存した履歴を管理室親機表示部３３に表示させる。こうして、管理人は断線時や故障時の着信履歴情報を確認することができる。
【００２４】
ここで、制御機４が管理室親機３に送信する特徴情報について説明する。特徴情報とは、チェックサム等の誤り検出符号で形成され、記憶している呼出履歴情報や着信履歴情報のデータサイズを、例えば１履歴あたり住戸情報を３バイト、日時情報を５バイトとして全８バイトとすると、５住戸からの呼出履歴情報を送信する場合は４０バイトのデータ量を送信することになる。しかし、特徴情報をチェックサムとすると、５住戸分の情報であってもデータ量は２バイト程度で済む。このように、データ量が２０分の１に削減され、当然送信時間もデータ量に比例して短くなる。
【００２５】
また、電源未投入状態にあった管理室親機３の電源が投入された場合は次のように動作する。電源投入を受けて、管理室親機３が起動すると、管理室親機ＣＰＵ３６は管理室親機３の初期化を行う。この初期化の過程で、制御機４に対して呼出履歴特徴情報を参照する動作を実施し、管理室親機３が保持している着信履歴情報と呼出履歴記憶部４１の情報の照合が行われる。
照合は特徴情報で実施され、差異があると判断したら差異が生じた日時の呼出履歴の全情報を制御機４に要求する。制御機４は、要求に応じて該当する日時の呼出履歴情報を管理室親機３に送信する。この情報を受信した管理室親機ＣＰＵ３６は、呼出履歴情報を着信履歴記憶部３４に保存し、管理室親機表示部３３にその情報を表示する。こうして、電源未投入時の着信履歴情報を参照することが可能となる。
【００２６】
このように、管理室親機３を呼び出した際に応答の無かった呼び出しの履歴が制御機４に保存され、それが定期的に管理室親機３に伝送されるので、管理室親機３が着信履歴情報を保存できない場合が発生しても、着信履歴を随時補填することができる。よって、管理人は、不在であったり管理室親機３の故障等で応答出来なかった呼び出しがあっても、制御機４に対して確認操作をすることなく容易にその呼び出しの履歴を認識できる。
また、応答の無かった管理室への呼び出しの履歴を制御機４が記憶するため、管理室親機３の持つ着信履歴記憶部３４は直近の特定の期間の履歴だけでも良く、小さな記憶容量で済む。
更に、管理室親機３が故障や断線等により、居室親機２からの呼び出しに対して着信履歴を記録出来なかったとしても、制御機４で記録された呼出履歴情報から未記録の着信の履歴を追加記録する。そのため、呼出音が鳴らずに応答出来なかった呼び出しに対しても履歴を確認でき、漏れなく対処することが可能となるし、管理室親機３が自身の着信履歴を記憶するので、スムーズな閲覧ができる。
また、定期的に制御機４から管理室親機３へ伝送される履歴情報は特徴情報が送信されるので少ないデータ量で済み、制御機４の負担を軽減できるし伝送路の占有時間も短くできる。そして、管理室親機３に登録されていない履歴情報は全データが送信されるので、管理室親機３において補填された履歴情報は他の履歴情報と同様に良好に参照することができる。
また、管理室親機３の電源が投入されたら、制御機４から着信履歴情報を取得するので、電源が投入されていなかった時間帯の管理室親機３への着信履歴情報を速やかに補填することができる。
【００２７】
尚、居室親機２から呼び出しがあった場合を説明したが、集合玄関機１から管理室親機３が呼び出された場合も同様であり、応答が無かった呼び出しの履歴は制御機４の呼出履歴記憶部４１、及び管理室親機３の着信履歴記憶部３４に記憶される。そして、呼出履歴記憶部４１に記憶された呼出履歴の特徴情報は、特徴情報送信部４２により定期的に管理室親機３へ送信される。
また、上記実施形態では、制御機４と管理室親機３の双方に応答のなかった呼出履歴（着信履歴）を記憶させているが、制御機４に記憶させるだけでも良い。この場合、管理室親機３に着信履歴記憶部３４を設けない代わりに、制御機４に記憶された履歴情報を入手するための操作部を設けると良く、必要な時に履歴情報を入手することができ未応答の呼び出しに対して対処することができる。
更に、管理室親機３を１台としたシステムを例に説明しているが、管理室親機３は複数であっても良く、管理室親機３に設定されたＩＤにより管理室親機３への呼び出しを容易に管理できる。
また、呼出履歴記憶部４１及び着信履歴記憶部３４には、応答の無かった呼出履歴のみ記憶させているが、応答のあった呼出履歴も含めて全ての履歴を記憶させても良い。応答した呼び出し、応答しなかった呼び出しの識別は、識別子を履歴に付けることで容易に分別できる。
また、履歴情報参照部３５を管理室親機ＣＰＵ３６と別回路としているが、管理室親機ＣＰＵ３６にその機能を持たせても良いし、特徴情報送信部４２も制御機ＣＰＵ４３と別回路としているが、制御機ＣＰＵ４３にその機能を持たせても良い。
【符号の説明】
【００２８】
１・・集合玄関機、２・・居室親機、３・・管理室親機、４・・制御機、２１・・親機操作部、３１・・管理室親機操作部、３３・・管理室親機表示部、３４・・着信履歴記憶部、３５・・履歴情報照合部、３６・・管理室親機ＣＰＵ（起動時履歴入手制御部）、４１・・呼出履歴記憶部、４２・・特徴情報送信部（履歴情報送信部）、４３・・制御機ＣＰＵ（履歴情報送信部）。
【図１】
2012095054.tif 000003
【図２】
2012095054.tif 000004
【図３】
2012095054.tif 000005
【図４】
2012095054.tif 000006
【図５】
2012095054.tif 000007